(57)【要約】本発明は、裁断アセンブリ内蔵の固締モードを使用する裁断アセンブリ（１６）において紙やカードなどの基体（１０）に筋を入れるために使用される付属部品に関する。付属部品は、長尺状の突起部（３０）を有する可動雄部（２６）と、雄部を受け入れるための、そこに沿った溝を有する可動雌部（１２４）とを含む。雄部と雌部とを安全に取り外し可能なように磁気ストリップなどの取り付け手段が、固締部（１８）と切断台（１２）との間に設けられる。裁断アセンブリが固締動作で操作される際に、筋入れ用付属部品の雄部と雌部とは、筋線に沿って基体に筋を入れるよう協動する。また、特定の用途および基体の特性に応じて、必要に応じて、異なる寸法の筋を入れるために、雌部の一部が異なる寸法を有するキットも提供される。
2014516821.tif 000002
【特許請求の範囲】
【請求項１】
固締部を有する裁断アセンブリにおいて基体に筋を入れるために適合された筋入れ用付属部品であって、
長尺状の突起部を有する取り外し可能な雄部と、前記取り外し可能な雄部を受け入れるように適合された取り外し可能な雌部と、
前記裁断アセンブリが固締動作で操作されたときに、前記筋入れ用付属部品の前記雄部および前記雌部が、前記雄部および前記雌部の間の筋線に沿って基体に筋を入れるよう協動するように、前記雄部と前記雌部とを固締部と切断台との間で取り外し可能に固定するための取付け手段と、
を備える、筋入れ用付属部品。
【請求項２】
前記取り外し可能な雌部は、前記取り外し可能な雄部を受け入れるように適合された長尺溝を備える
ことを特徴とする請求項１に記載の筋入れ用付属部品。
【請求項３】
前記取り外し可能な雄部は、前記裁断アセンブリの前記固締部に取り付けられ、前記雌部は、前記裁断アセンブリの前記切断台に取り付けられる
ことを特徴とする請求項１または２に記載の筋入れ用付属部品。
【請求項４】
前記雄部は、突出した隆起部を有する長尺状の平面ストリップを備える
ことを特徴とする請求項１〜３のいずれか１項に記載の筋入れ用付属部品。
【請求項５】
前記隆起部は、前記平面ストリップの長さに沿って実質的に端から端に延びる
ことを特徴とする請求項４に記載の筋入れ用付属部品。
【請求項６】
前記隆起部は、前記ストリップの先端に設けられる
ことを特徴とする請求項４または５に記載の筋入れ用付属部品。
【請求項７】
前記隆起部は、Ｌ字状の突起部を備える
ことを特徴とする請求項４〜６のいずれか１項に記載の筋入れ用付属部品。
【請求項８】
前記Ｌ字状の突起部は、前記雄部の前記平面ストリップに取り付けられた比較的厚い基部と、前記雄突起部の前記構造上の剛性を向上させつつ前記基体の筋入れを支援する比較的薄い先端とを有する三角形の断面を備える
ことを特徴とする請求項７に記載の筋入れ用付属部品。
【請求項９】
前記雌部は、筋がついた前記雄部および基体を受け入れるための前記長尺溝を形成するためにその中に溝を有する材料の長尺状のストリップを備える
ことを特徴とする請求項１〜８のいずれか１項に記載の筋入れ用付属部品。
【請求項１０】
前記雌部は、前記裁断切断台の既存の切断棒スロット内に収容される寸法のプラスチック材料を備える
ことを特徴とする請求項９に記載の筋入れ用付属部品。
【請求項１１】
前記切断台へ前記雌部を取り外し可能に固定するための前記取り付け手段は、前記材料の長尺状のストリップと前記切断棒スロットとの間で摩擦嵌合部を備える
ことを特徴とする請求項１〜１０のいずれか１項に記載の筋入れ用付属部品。
【請求項１２】
前記固締部へ前記雄部を取り外し可能に固定するための前記取り付け手段は、磁気ストリップ、両面粘着テープ、固定クリップ、フックおよび輪、または他の適切な手段を備える
ことを特徴とする請求項１〜１１のいずれか１項に記載の筋入れ用付属部品。
【請求項１３】
前記雄部は、前記固締部の固締プレートと係合するように適合される
ことを特徴とする請求項１〜１２のいずれか１項に記載の筋入れ用付属部品。
【請求項１４】
請求項２に記載の少なくとも雄部と複数の雌部を備えるキットであって、
前記複数の雌部の長尺溝のそれぞれは、特定の用途および基体の特性に応じて、必要に応じて、異なる寸法の筋を入れるように互いに異なる寸法を有する
ことを特徴とするキット。
【請求項１５】
固締部を有する裁断アセンブリを使用して基体に筋を入れるための方法であって、
長尺状の突起部を有する取り外し可能な雄部を設けるステップと、
前記雄部を受け入れる取り外し可能な雌部を、前記固締部と切断台との間に設けるステップと、
筋入れ用付属部品の雄部と雌部とが筋線に沿って前記基体に筋を入れるよう協動するように、固締動作前記裁断アセンブリを固締動作で操作するステップと、
を有することを特徴とする方法。
【請求項１６】
前記アセンブリに前記取り外し可能な雄部および前記取り外し可能な雌部を提供する工程は、適切な取付け手段を使用して前記裁断アセンブリの固締部に前記雄部を取り外し可能に取り付ける工程と、摩擦嵌合により前記切断台の切断棒スロットに前記雌部を取り外し可能に取り付ける工程とを含む
ことを特徴とする請求項１５に記載の基体に筋を入れるための方法。
【請求項１７】
前記基体の適切な位置に複数の筋を入れるために、筋入れを終了する度に、前記基体を前記裁断アセンブリに通すために前記裁断アセンブリのバックゲージを利用するステップをさらに有する
ことを特徴とする請求項１５または１６に記載の基体に筋を入れるための方法。
【請求項１８】
前記基体の筋入れの完了後に、前記裁断アセンブリを元の切断および固締構成に戻すために前記雄部と前記雌部とを取り外す工程
をさらに有する
ことを特徴とする請求項１５〜１７のいずれか１項に記載の基体に筋を入れるための方法。
【発明の詳細な説明】
【技術分野】
【０００１】
本発明は、筋入れ用付属部品に関し、特に、固締部を有する裁断アセンブリで切断される基体に筋を入れる筋入れ用付属部品に関する。また、基体に筋を入れるための方法も提供される。
【０００２】
紙やカードなどの基体を切断する際に、商用プリンタが、１つの制御された切断動作で基体を切断する切断装置を使用して、基体上の適切な位置で切断を行う。切断する位置は、一般に、手動で決定されるか、あるいは切断前に正確な裁断位置に基体を自動的に移動させる電子制御されたバックゲージによって決定される。
【背景技術】
【０００３】
背景技術の参考として、一般的な従来の裁断アセンブリについて添付の図１〜４を参照して説明する。
【０００４】
裁断操作者は、まず、アセンブリのバックゲージ１４の正面に位置するように切断台１２に基体１０を配置する（図１）。コンピュータ化されたコントロールパネルまたは手動調節機構（不図示）を使用して、操作者は、基体１０が適切な位置で裁断アセンブリ１６の真下に位置するまで前方にバックゲージ１４を進める（図２）。（複数のシートに積層された）基体を平らにし、基体間の空気を抜くために、操作者は、切断台１２上に基体を固締するようにクランプ１３を下方に移動させ得る。この点で、クランプ１８は、基体のシートが切断台１２上に正面に小さくまとめられて置かれるように、「切断なしクランプ」モードで何回か迅速に上下に「入れ替え」られる。必要に応じて、操作者は、基体１０上により大きな取り付け面を提供するためにクランプ板２０をクランプ１８に取り付けることを選択してもよい。基体が正しく配置されると、クランプ１８は、切断のための準備がされ固締位置に保持される（図３）。
【０００５】
基体１０が所定の位置に取り付けられると、金属切断刃２２は基体に押し付けられて、適切な場所を切断する（図４）。切断刃２２が基体を切断する切断動作を補助するための弾性切断面を提供するために、プラスチックの切断棒２４が、切断台１２の凹部に設けられる。また、プラスチックの切断棒２４は、金属切断刃２２を切断動作中の損傷から保護する。
【０００６】
基体１０が切断されると、裁断アセンブリ１６は、次の切断の準備のため、その元の構成（図１）に戻る。
【発明の概要】
【発明が解決しようとする課題】
【０００７】
このような裁断アセンブリは、印刷業界で広く使用されているが、操作者が、基体を切断することなく、基体に単に筋を入れようとする（パンフレット、リーフレット、ブックレットなどに筋を入れようとする）場合、裁断アセンブリから基体を取り外して、個別の筋入れ装置に基体を通さなければならない。
【課題を解決するための手段】
【０００８】
本発明の第１の態様によれば、固締部を有する裁断アセンブリにおいて基体に筋を入れるために適合された筋入れ用付属部品が提供され、この筋入れ用付属部品は、長尺状の突起部を有する取り外し可能な雄部と、雄部を受け入れるように適合された取り外し可能な雌部と裁断アセンブリが固締動作で操作されたときに、筋入れ用付属部品の雄部および雌部が、雄部および雌部の間の筋線に沿って基体に筋を入れるために協動するように、雄部と雌部とを固締部と切断台との間で取り外し可能に固定するための取付け手段と、を備える。
【０００９】
好ましくは、雄部は、裁断アセンブリの固締部上に設けられ、雌部は、裁断アセンブリの切断台上に設けられる。
【００１０】
雄部は、そこから突出した隆起部を有する長尺状の平面ストリップを備えてもよい。好ましくは、隆起部は、平面ストリップの長さに沿って実質的に端から端に延びる。隆起部は、ストリップの先端上に設けられてもよい。
【００１１】
隆起部は、Ｌ字状の突起部を備えてもよい。Ｌ字状の突起部は、雄部の平面ストリップに取り付けられた比較的厚い基部と、雄突起部の構造上の剛性を向上させつつ基体への筋入れを支援する比較的薄い先端とを有する三角形の断面を備えてもよい。
【００１２】
雄部は、プラスチック材料を備えてよい。
【００１３】
雌部は、その中に筋がついた雄部および基体を受け入れるための長尺溝を形成するためにその中に溝を有する材料の長尺状のストリップを備えてもよい。
【００１４】
雌部は、裁断切断台の既存の切断棒スロット内に収容される寸法のプラスチック材料を備えてもよい。
【００１５】
切断台へ雌部を取り外し可能に固定するための取り付け手段は、該材料の長尺状のストリップと切断棒スロットとの間で摩擦嵌合部を備えてもよい。
【００１６】
固締部へ雄部を取り外し可能に固定するための取り付け手段は、磁気ストリップ、両面粘着テープ、固定クリップ、フックおよび輪、または他の適切な手段を備えてもよい。
【００１７】
雄部は、好ましくは、固締部の固締プレートと係合するように適合される。
【００１８】
本発明の第１の態様による少なくとも雄部と複数の雌部を備えるキットであって、複数の雌部の長尺溝のそれぞれは、特定の用途および基体の特性に応じて、必要に応じて、異なる寸法の筋を入れるように互いに異なる寸法を有する。
【００１９】
本発明の第２の態様によれば、固締部を有する裁断アセンブリを使用して基体に筋を入れるための方法であって、長尺状の突起部を有する取り外し可能な雄部を設けるステップと、雄部を受け入れる取り外し可能な雌部を、固締部と切断台との間に設けるステップと、筋入れ用付属部品の雄部と雌部とが筋線に沿って基体に筋を入れるよう協動するように、固締動作裁断アセンブリを固締動作で操作するステップと、を有する方法を提供する。
【００２０】
好ましくは、アセンブリに取り外し可能な雄部および取り外し可能な雌部を提供する工程は、適切な取付け手段を使用して裁断アセンブリの固締部に雄部を取り外し可能に取り付ける工程と、摩擦嵌合により切断台の切断棒スロットに雌部を取り外し可能に取り付ける工程を含む。
【００２１】
また、方法は、基体の適切な位置に複数の筋を入れるために、筋入れを終了する度に、基体を裁断アセンブリに通すために裁断アセンブリのバックゲージを利用するステップを備えてよい。
【００２２】
また、方法は、基体の筋入れの完了後に、裁断アセンブリを元の切断および固締構成に戻すために、雄部と雌部とを取り外す工程を備えてもよい。
【００２３】
本発明の態様を、一例として添付の図面を参照して説明する。
【図面の簡単な説明】
【００２４】
【図１−４】周知の固締および切断動作を利用する従来の裁断アセンブリの概略を連続的に示す断面図である。
【図５−７】筋入れ動作中の使用時に、図１〜４の裁断アセンブリに取り付けられる本発明の付属部品の概略を連続的に示す断面図である。
【図８】筋入れ動作をより詳細に示す図７の領域Ａの拡大図である。
【図９】付属部品の雄部の長さに沿った側面図である。
【図１０】図９の雄部の斜視図である。
【図１１】様々な筋形状を設けるために異なる幅の溝を有する付属部品の一部の雌部の長さに沿った側面図である。
【図１２】図１１の雌部の斜視図である。
【発明を実施するための形態】
【００２５】
図９および図１０を参照して、一般に符号２６を付す雌部について説明する。雌部２６は、その先端に沿った長尺状の突起部３０を有する薄い長尺状の取付け部２８を備える。
【００２６】
取付け部２８の上部に取り付け手段が設けられる。本実施形態における取り付け手段は、磁気材料のストリップ３４によって提供されるが、例えば、両面粘着テープ、固定クリップ、ホックおよび輪、または他の適切な手段などの適切な取り付け手段の形式を利用できることが理解されよう。これは、不要となった場合に容易に取り外される「クイックフィット」取り付けの一時的な形を提供する。
【００２７】
本実施形態において、長尺状の突起部３０は、三角形の断面形状の隆起部の形式を取るが、当業者は、突起部３０が、例えば、Ｌ字状の断面取付け部２８から垂直に延びる平坦な材料でも、あるいは、隆起した曲線的なエッジなど、必要な筋入れ効果を提供することができる任意の形状でもよいことを理解するであろう。
【００２８】
また、突起部３０は、本実施形態において連続の隆起部として示されているが、必要に応じて基体に沿って部分的な筋を入れることができるように非連続であってよい。
【００２９】
本実施形態において、突起部３０は、雄部２６の製造中または製造後に取付け部２８に取り付けられるが、取付け部２８と一体形成されてもよい。
【００３０】
図１１および図１２を参照して、筋入れ用付属部品の雌部１２４を説明する。雌部１２４は、そこに沿ってチャンネルまたは溝３２を有する材料のストリップを備える。図１１に示すように、溝３２は、必要な用途に応じて様々な異なる配置を提供するために、複数のストリップに異なる寸法で設けられている。
【００３１】
本実施形態において、溝３２は、Ｕ字形状の溝の形式を取るが、当業者は、例えば、Ｖ形状の溝、曲線の溝など筋効果を提供することができる形状であり得、雄部２６および／または筋を入れる基体に対応して選択されることを理解するであろう。
【００３２】
溝３２は、溝３２が雌材料１２４の一端および切断台１２の対応する凹部壁の一端によって提供されるように、雌材料１２４の一端から除去された切り欠きによって設けられてよい。
【００３３】
また、溝３２は、本実施形態においては連続した溝として例示されているが、必要に応じて基体に沿って部分的な筋を提供できるように非連続であってよい。
【００３４】
基体１０を切断するより筋を入れるが望まれる場合、雄部２６は、固締部１８または固締プレート２０のいずれかに取り付けられなければならず、通常は、固締部１８に取り付けられる。本実施形態において、雄部２６は、まず、固締プレート２０に取り付けられる。これを行うために、磁気材料のストリップ３４が、取付け部２８に沿って取り付けられる。そして、図８に最良に示すように、雄部２６が、磁気的に保持されるように、金属固締プレート２０に配置される。
【００３５】
切断動作のために通常配置される切断棒２４が、切断台１２のその凹部から取り外されて、筋入れ用付属部品の雌部１２４と置き換えられる。雌部１２４の外形寸法は、切断台１２にぴったりと嵌合するように、切断棒２４と形状が類似しており、雌部１２４に筋がつけられる間、切断台１２の凹部に確実に保持される。
【００３６】
使用時に、特に図７および８を参照すると、操作者は、アセンブリのバックゲージ１４の反対側に基体１０を配置し、基体１０に筋を入れたい位置を選択する。そして、操作者は、クランプ１８が基体１０上に配置される、裁断の組み込みの「切断なしの固定」機能を選択する。そうして、雄部２６の突起部３０が、雌部１２４のチャンネル３２に入り、基体１０を捕える。これにより、基体の正しい位置において、単一のクランプおよび筋入れ動作において、基体１０に、整っており制御された線に沿って筋が入れられる。
【００３７】
上記に示す筋入れ動作は、基体１０に沿って、必要な筋が形成されるまで繰り返される。その際、例えば、折り畳み式のひだのための反対方向に筋を形成するために、基体１０が回転される。
【００３８】
そして、雌部１２４が、切断台１２の凹部から取り外され、通常の切断および再度の固締を可能にするために、先に取り外した切断棒２４が再挿入される。
【００３９】
そして、雄部２６も、滑動動作によって固締プレート２０から取り外され得る。筋入れが完了すると、操作者が固締プレート２０から雄部２６を容易に外すことを可能にする一方で、筋入れ時に雄部２６が固締プレート２０の面に堅固に保持されるように、磁気ストリップ３４の特性が適合されている。
【００４０】
本発明の範囲から逸脱することなく、上記を、例えば、以下のように変更および改良してもよい。
【００４１】
異なる基体に筋を入れることを可能にするために、雌部１２４が、雌部の一部が異なる寸法を有するキットの一部として提供されてよい。また、操作者が特定の用途に対して正しいストリップを容易に識別することが可能になるように、色分けされてよい。
【００４２】
例示した実施形態に関わらず、雄部が、クランプの上部または上に設けられ、雌部が切断台の下部または上に設けられ、所望の場合には、雄部が切断台の下部または上に設けられ、雌部がクランプの上部または上に設けられる。
【図１】
2014516821.tif 000003
【図２】
2014516821.tif 000004
【図３】
2014516821.tif 000005
【図４】
2014516821.tif 000006
【図５】
2014516821.tif 000007
【図６】
2014516821.tif 000008
【図７】
2014516821.tif 000009
【図８】
2014516821.tif 000010
【図９】
2014516821.tif 000011
【図１０】
2014516821.tif 000012
【図１１】
2014516821.tif 000013
【図１２】
2014516821.tif 000014
【国際調査報告】
2014516821.tif 000015
2014516821.tif 000016